(57)【要約】【課題】流動路開放型と密閉型の両方の羽根車でポンプ性能の低下を抑制でき、ポンプ室内への毛髪等の異物の流入を抑制したポンプ及びそれを備える液体循環装置を提供する。【解決手段】この課題を解決するために、ポンプ１は、液体を流動させる羽根車１２を備えるポンプ室１０と、前記液体を外部から前記ポンプ室１０の羽根車１２に導入する導入路４ａと、を有し、前記液体に混入した異物の前記ポンプ室１０への流入を防止する異物防止部２１を前記導入路４ａの上流側に設け、前記異物防止部２１が前記液体の流動方向Ｒに交差する向きに並ぶ複数のリブ２２であり、この複数のリブ２２のうち、並びの中央に位置する一つ以上のリブ２２を他のリブ２２より上流側に突出させて配置した。【選択図】図１
2011220217.tif 000002
【特許請求の範囲】
【請求項１】
液体を流動させる羽根車を備えるポンプ室と、前記液体を外部から前記ポンプ室の羽根車に導入する導入路と、を有し、前記液体に混入した異物の前記ポンプ室への流入を防止する異物防止部を前記導入路の上流側に設け、前記異物防止部が前記液体の流動方向に交差する向きに並ぶ複数のリブであり、この複数のリブのうち、並びの中央に位置する一つ以上のリブを他のリブより上流側に突出させて配置したものであることを特徴とするポンプ。
【請求項２】
前記導入路は上流端に外部から前記液体を吸込む吸込み継手を有し、前記異物除去手段を前記吸込み継手に配置したものであることを特徴とする請求項１に記載のポンプ。
【請求項３】
前記導入路は上流側に前記流動方向に交差する向きの寸法である幅が連通する下流側の部位より広い幅広部を有し、前記異物防止部を前記幅広部に配置したものであることを特徴とする請求項１または請求項２に記載のポンプ。
【請求項４】
前記複数のリブのうち、一つのリブを最も上流側に突出させて配置すると共に、前記最も突出させて配置したリブを頂上として各リブが山形に並ぶものであることを特徴とする請求項１〜３のいずれかに記載のポンプ。
【請求項５】
前記リブを断面楕円形状に形成し、この楕円の長軸を流動方向に沿って配置したものであることを特徴とする請求項１〜４のいずれかに記載のポンプ。
【請求項６】
液体を流動させる羽根車を備えるポンプ室と、前記液体を前記ポンプ室の羽根車に導入する導入路と、を有し、前記液体に混入した異物の前記ポンプ室への流入を防止する異物防止部を前記ポンプ室の羽根車入口に連通する前記導入路の下流端に設け、前記異物防止部が前記羽根車と同芯で複数のスリットを周面に備える円筒であり、この円筒の先端がポンプ室に臨むものであることを特徴とするポンプ。
【請求項７】
前記リブの間あるいは前記円筒のスリットである前記異物防止部の液体を流通させる隙間の寸法が、前記ポンプの制御部から前記液体の流動するポンプ室を区画する分離板と前記羽根車の対向する一方の板面の間及び前記ポンプ室を形成するケーシングと前記羽根車の対向する他方の板面の間の夫々の寸法よりも小さいものであることを特徴とする請求項１〜６のいずれか一項に記載のポンプ。
【請求項８】
請求項１〜７のいずれか一項に記載のポンプを液体循環の駆動源として備えたものであることを特徴とする液体循環装置。
【発明の詳細な説明】
【技術分野】
【０００１】
本発明は、ポンプ及びそれを備える液体循環装置に関するものである。
【背景技術】
【０００２】
従来から、スリットを有する異物受壁を羽根車入口に連通する導入路の下流端に流動方向に交差させて配置したポンプがある。このようなものでは、液体がスリットを介して羽根車入口に流入し、液体に混じった毛髪等の異物を異物受壁により遮り羽根車への異物の流入を防止している。そして、清掃が困難な導入路の下流端に配置しているため、ポンプ室に拡張部を形成し、導入路の下流端を拡張部と羽根車入口の両方に連通するよう拡張し、異物受壁を拡張部側の連通部位にも配置している。これにより、異物の流通を防止する処理面積を広げると共に、異物受壁への異物の滞積に伴うポンプ室への液体の流入量の低下を抑制している（例えば、特許文献１等参照）。
【先行技術文献】
【特許文献】
【０００３】
【特許文献１】特開２００２−２１７９９号公報
【発明の概要】
【発明が解決しようとする課題】
【０００４】
しかしながら、導入路の下流端を羽根車入口と拡張部の両方に連通させたことで、羽根車入口への液体の流入量が低下すると共に、拡張部側から羽根車に流入された液体が羽根車による流動を受け難く、ポンプ性能が低下するという問題がある。
【０００５】
ことに、羽根車の流動路の側面をシュラウドで覆った流動路密閉型のものでは、ポンプ室に拡張部を設けると、拡張部側に流入した液体がシュラウドに阻まれ流動路に導入されず羽根車の抵抗となり、ポンプ性能を低下させてしまう。つまり、シュラウドを備えていない流動路開放型の羽根車を有するポンプにしか異物受壁及び拡張部を配置できないという問題もある。
【０００６】
そこで、この事情に鑑み、流動路開放型及び密閉型の両方の羽根車でポンプ性能の低下を抑制して、ポンプ室内への毛髪等の異物の流入を抑制できるポンプ及びそれを備える液体循環装置を提供することを課題とした。
【課題を解決するための手段】
【０００７】
この課題を解決するために、本発明のポンプは、液体を流動させる羽根車を備えるポンプ室と、前記液体を外部から前記ポンプ室の羽根車に導入する導入路と、を有し、前記液体に混入した異物の前記ポンプ室への流入を防止する異物防止部を前記導入路の上流側に設け、前記異物防止部が前記液体の流動方向に交差する向きに並ぶ複数のリブであり、前記複数のリブのうち、並びの中央に位置する一つ以上のリブを他のリブより上流側に突出させて配置したものであることを特徴とする。
【０００８】
このポンプとして、前記導入路は上流端に外部から前記液体を吸込む吸込み継手を有し、前記異物除去手段を前記吸込み継手に配置したものであることが好ましい。
【０００９】
このポンプとして、前記導入路は上流側に前記流動方向に交差する向きの寸法である幅が連通する下流側の部位より広い幅広部を有し、前記異物防止部を前記幅広部に配置したものであることが好ましい。
【００１０】
このポンプとして、前記複数のリブのうち、一つのリブを最も上流側に突出させて配置すると共に、前記最も突出させて配置したリブを頂上として各リブが山形に並ぶものであることが好ましい。
【００１１】
このポンプとして、前記リブを断面楕円形状に形成し、この楕円の長軸を流動方向に沿って配置したものであることが好ましい。
【００１２】
また、本発明のポンプは、液体を流動させる羽根車を備えるポンプ室と、前記液体を前記ポンプ室の羽根車に導入する導入路と、を有し、前記液体に混入した異物の前記ポンプ室への流入を防止する異物防止部を前記ポンプ室の羽根車入口に連通する前記導入路の下流端に設け、前記異物防止部が前記羽根車と同芯で複数のスリットを周面に備える円筒であり、この円筒の先端がポンプ室に臨むものであることを他の特徴とする。
【００１３】
これらのポンプとして、前記リブの間あるいは前記円筒のスリットである前記異物防止部の液体を流通させる隙間の寸法が、前記ポンプの制御部から前記液体の流動するポンプ室を区画する分離板と前記羽根車の対向する一方の板面の間及び前記ポンプ室を形成するケーシングと前記羽根車の対向する他方の板面の間の夫々の寸法よりも小さいものであることが好ましい。
【００１４】
また、本発明の液体循環装置は、前述のいずれかのポンプを液体循環の駆動源として備えたものであることを特徴とする。
【発明の効果】
【００１５】
このような構成としたことで、導入路の上流側で毛髪等の異物を液体から分離でき、ポンプ室内への異物の流入を抑制し、流動路開放型と密閉型の両方で羽根車への異物の付着に伴うポンプ性能の低下や羽根車拘束の発生を抑制することができる。
【図面の簡単な説明】
【００１６】
【図１】実施形態の一例のポンプの一部を切り欠いた側面図である。
【図２】同上のポンプにおける流路ケースを仕切り板側から視た平面図である。
【図３】変形例の一部を切り欠いた側面図である。
【図４】同上のポンプにおける吸込み継手を開口端側から視た平面図である。
【図５】他例のポンプの一部を切り欠いた側面図である。
【図６】同上のポンプにおける流路ケースの仕切り板側から視た平面図である。
【図７】液体循環装置の実施形態の一例の構成説明図である。
【発明を実施するための形態】
【００１７】
以下、実施形態の一例を図面に基づいて説明する。なお、図１，図３，図５は図２や図６に示した切断線Ａに沿って一部を切断したものである。
【００１８】
本例のポンプ１は、図１及び図２に示すように、羽根車１２を備えるポンプ室１０と、外部からポンプ室１０に液体を導入する導入路４ａと、ポンプ室１０から外部に液体を導出する導出路４ｂと、駆動部（特に図示しない）と、を有している。なお、本例における液体とは、例えば、湯水やラジエータ用の冷却液や熱交換器の液状熱媒や、液体に微細気泡を溶解させた気液混合流体等であり、この微細気泡等は後述する異物には含まれないものである。
【００１９】
そして、その外装は、ポンプ室１０を形成するポンプケース２と、導入路４ａ及び導出路４ｂを形成する流路ケース３と、駆動部の収納された駆動部カバー５と、で構成されている。更に、駆動部カバー５とポンプケース２の形成する内部空間が分離板６により区画されており、流路ケース３とポンプケース２の形成する内部空間が仕切り板７により区画されている。
【００２０】
つまり、ポンプ室１０はポンプケース２と分離板６と仕切り板７で形成された空間であり、導出路４ｂ及び導入路４ａは流路ケース３と仕切り板７で形成された空間である。そして、ポンプケース２と分離板６と仕切り板７がポンプ室１０を形成するポンプ１のケーシングとなっており、仕切り板７には導入路４ａの下流端からポンプ室１０に液体を流入させる開口である羽根車入口１３が設けられている。
【００２１】
なお、符号８は流路ケース３と仕切り板７及びポンプケース２の間から外部に液体が漏れることを防止するパッキン等からなる漏洩防止部材であり、符号９はポンプケース２と分離板６の間で液体の外部への漏洩を防止するＯリングである。そして、導出路４ｂの符号４ｃは清掃時や点検時に流路及びポンプ室１０内の水を抜く水抜き孔である。
【００２２】
また、ポンプ室１０は、軸１１を中心に駆動部によって回転する羽根車１２と、羽根車１２で流動された液体を導出路４ｂに流出する流出口（特に図示しない）と、導入路４ａから羽根車１２に液体を流入させる羽根車入口１３と、を有している。そして、羽根車１２は、軸１１を軸芯として回転する回転盤１４と、回転盤１４に対向するシュラウド１６と、回転盤１４とシュラウド１６の間で軸１１を中心に放射状に設けられた複数の羽根１５と、からなる流動路密閉型のものである。
【００２３】
つまり、羽根１５により液体の流動する流動路がシュラウド１６と回転盤１４に周囲（側面）を囲まれて上流と下流の両端以外を密閉されたものとなっている。そのため、液体は羽根車入口１３からシュラウド１６の内周側に位置する流動路の上流端に流入され、羽根車１２の外周に位置する流動路の下流端から流出し、流出口から導出路４ｂに流入されるものである。
【００２４】
また、駆動部は、ポンプ１の駆動源であるモータと、モータの回転駆動を制御するＩＣチップ等を実装した制御基板と、を有したものである。そして、制御基板やモータのステータ等が駆動部カバー５と分離板６で形成された空間内に配置されており、モータのロータは羽根車１２と一体で形成され、ポンプ室１０に配置されている。
【００２５】
なお、モータはロータの回転により羽根車１２を回転駆動させるものであればよく、例えば、ロータが羽根車１２に軸１１を介して接続されたものや、ロータが駆動部カバー５と分離板６で形成された空間に配置されたもの等であってもよい。
【００２６】
また、導入路４ａは上流端に外部の配管等に脱着自在で接続され接続した配管等から液体を吸込む吸込み継手１７を有すると共に、吸込み継手１７から吸い込まれた液体が内部を流れる矩形状の管状部１９で主体が形成されている。
【００２７】
以下、流路ケース３のポンプ室１０側を向く面を上面３ｂとし、上面３ｂに対向する仕切り板７の板面を下面３ａとし、導入路４ａの流動方向Ｒに直交して互いに向かい合う流路ケース３の二面を夫々側面３ｃとして定義し説明する。
【００２８】
そして、管状部１９と吸込み継手１７の間には管状部１９より両側面３ｃの間の寸法である幅が広い幅広部１８が形成されており、管状部１９の下流端には円形状で円周の一部が管状部１９に連通した円形部２０が形成されている。
【００２９】
吸込み継手１７は、上流端に外部の配管等に接続する接続部１７ａと、接続部１７ａで接続した配管等の液体を羽根車１２の回転により導入路４ａ内に吸込む吸込み口１７ｂと、を有する円管形状のものである。つまり、外部の配管等内の液体がこの吸込み口１７ｂから導入路４ａを介してポンプ室１０に供給されるものであり、吸込み継手１７はその円管の中心軸上が最も液体の流速が速くなるものとなっている。
【００３０】
また、管状部１９は幅及び上面３ｂと下面３ａの間の高さが上流端から下流端まで略一定で変化しないものであり、幅及び高さの両寸法の略中間である内部空間の略中央が最も液体の流速が速くなるものとなっている。
【００３１】
そして、管状部１９の下流端に連通する円形部２０は羽根車入口１３と略同径で管状部１９の幅より直径が大きいものであり、円周の一部が管状部１９と略同形で開口した管状部連通口２０ａとなっている。
【００３２】
また、幅広部１８は管状部１９の幅及び吸込み継手１７の円管の直径より幅が広いものであり、流動方向Ｒに直交する断面積が管状部１９及び吸込み継手１７より大きいものとなっている。そして、幅広部１８を流通する液体のうち、吸込み継手１７の中心軸の延長線上を流れる液体が幅広部１８内で最も速い流速で流通するものであり、幅広部１８から管状部１９への液体の単位時間あたりの流入量はこの延長線上が最も多くなっている。
【００３３】
更に、幅広部１８は下面３ａと上面３ｂの間に異物防止部２１が配置されている。そのため、幅広部１８から管状部１９に流通する液体は混入した毛髪等の異物が異物防止部２１により下流への流通が遮られ、下流側に流入された流体中の異物混入量が低減されるあるいは流体から異物が除去されるものとなっている。
【００３４】
この異物防止部２１は液体が流れる流動方向Ｒ及び幅広部１８の上面３ｂに直交してその上面３ｂから下面３ａに亘って設けられた（架設された）略同形同寸の複数のリブ２２である。
【００３５】
そして、各リブ２２は上面３ｂに平行な断面形状が楕円形状のものであり、このリブ２２は楕円の長軸を流動方向Ｒに沿うように配置されると共に、短軸方向に隣り合って並べられている。更に、各リブ２２の下面３ａ側に位置する先端部２２ａは漏洩防止部材８を介して仕切り板７の板面に当接している。
【００３６】
そのため、幅広部１８に流れる液体は各リブ２２の間を通って導入路４ａの下流側（管状部１９）に流入されるものであり、液体に混入している異物はリブ２２により下流側への流通が遮られ、ポンプ室１０への浸入が抑制されている。以下、流動方向Ｒに直交してリブ２２が隣り合って並ぶ方向を列方向Ｙとし、流動方向Ｒ及び列方向Ｙの両方向に直交して上面３ｂから下面３ａにリブ２２が架設された方向を架設方向Ｘとして定義し説明する。
【００３７】
複数のリブ２２は、最も流速の速い位置を通るリブ２２を他のリブ２２より上流側に突出させて配置すると共に、他のリブ２２を側面３ｃに近づく程下流側に位置するよう配置して扇状に並べられている。つまり、異物防止部２１は最も流速の速い位置にリブ２２が一つ位置すると共に、そのリブ２２を頂上として架設方向Ｘからの平面視上流側に凸の山形に各リブ２２を配置したものである。
【００３８】
そのため、リブ２２に遮られた異物は列方向Ｙに沿って幅広部１８の側面３ｃである列方向Ｙの端（山裾）に向かって誘導されるものであり、側面３ｃと側面３ｃに最も近いリブ２２の間に異物が集められて滞積するものとなっている。そして、最も流速の速い位置に配置されたリブ２２が一つであるため、最も流速の速い位置に異物防止部２１の隙間が形成されないものとなっており、最も流速が速い位置に異物が滞積することを防止している。
【００３９】
また、異物防止部２１は各リブ２２の間（異物防止部２１の隙間）の寸法Ｓ１が、分離板６と回転盤１４の対向する面の間の寸法Ｓ２及び仕切り板７とシュラウド１６の対向する面の間の寸法Ｓ３のいずれよりも小さいものとなっている。そのため、リブ２２の間を通過する異物は仕切り板７及び分離板６と羽根車１２が夫々対向する板面の間の寸法Ｓ２，Ｓ３より小さいものとなり、ポンプ室１０に浸入する異物のサイズを小さく抑えている。
【００４０】
このように、幅広部１８に異物防止部２１を設けているため、液体内の異物の流通を防止する異物防止部２１の処理面積を広くでき、異物の滞積や付着に伴う異物防止部２１の目詰まりによる液体の流通量や流速の低下を軽減できる。つまり、ポンプ性能の低下を生じるまでに滞積可能な異物の限界処理量を管状部１９に異物防止部２１を設けたものより多くでき、異物の流通防止（滞積）による液体の流通量や流速の低下を抑制している。
【００４１】
そして、異物防止部２１を幅広部１８に配置したため、配管等を吸込み継手１７から外すことで、容易に異物防止部２１に滞積した異物を確認できると共に、吸込み口１７ｂ側から滞積した異物を容易に取り出し異物防止部２１から除去できる。つまり、異物防止部２１の清掃を容易に行えるため、多量の異物の付着や滞積によるリブ２２の間の目詰まり等で流通量や流速が低下した際に、その低下した状態を容易に解消でき、ポンプ性能を高く保持し易いものとなっている。
【００４２】
更に、異物防止部２１は最も流速の速い位置にリブ２２を有するため、異物がその位置に滞積し難く且つ流速の遅い山裾に集まり易いものにでき、異物防止部２１への異物の滞積によって流速が低下することをより抑制している。また、ポンプ室１０に浸入可能な異物のサイズを小さく抑えたため、ポンプ室１０内に浸入した異物が羽根車１２と各板との間に挟まることを防止できる。
【００４３】
そのため、羽根車１２の回転速度の低下や停止等を抑制でき、ポンプ性能の低下や羽根車１２拘束等の不具合の発生を低減している。そして、リブ２２を流路ケース３の上面３ｂから下面３ａに向けて形成しているため、リブ２２を流路ケース３と一体で容易に成型でき、ポンプ１の生産性及びリブ２２の強度を向上することができる。
【００４４】
なお、幅広部１８の幅が管状部１９の幅より広いものであれば、管状部１９の幅と円形部２０の直径が略同じものや、管状部１９が円形状のもの等であってもよく、ましてや羽根車１２にシュラウド１６の無い流動路開放型のポンプ等であってもよい。
【００４５】
そして、ポンプ１の外装を形成する部材も、仕切り板７とポンプケース２が一体のものや、流路ケース３と仕切り板７が一体のものや、駆動部カバー５の代わりにモールド樹脂で覆ったものであってもよい。更に、リブ２２は両側面３ｃに架設した架設方向Ｘが上面３ｂに平行なものや、架設方向Ｘを傾けて上面３ｂ及び側面３ｃに平行しないもの等であってもよい。
【００４６】
ましてや、リブ２２の形状は、断面が円形状や矩形状のものや、架設方向Ｘの形状が中央側に向かう程流動方向Ｒの寸法が長くなる円弧形状のもの等であってもよい。もちろん、異物防止部２１を二つ設けてリブ２２を格子状に交差させて配置したものや、リブ２２毎に流動方向Ｒの寸法を変えてリブ２２を平面視山形に配置したもの等の各リブ２２の形状や寸法が夫々異なるもの等であってもよい。
【００４７】
また、図３及び図４に示すように、リブ２２からなる異物防止部２１を吸込み継手１７に配置したものもある。なお、前述の例と略同様の構成の説明は省略する。
【００４８】
本例のものは、吸込み継手１７の接続部１７ａと幅広部１８の間に異物防止部２１を設けたものである。詳しくは、吸込み継手１７の下流端に断面楕円形状のリブ２２が複数配置されており、各リブ２２は流動方向Ｒ及び吸込み継手１７の中心軸の両方に直交する一方向を架設方向Ｘとして吸込み継手１７の内周面に架け渡して設けた（架設した）ものである。
【００４９】
そして、中心軸を通るリブ２２を頂上として架設方向Ｘからの平面視山形に並べられており、異物防止部２１に遮られた異物が吸込み継手１７の内周面側に誘導されるものとなっている。更に、各リブ２２の間の寸法Ｓ１はポンプ室１０を形成する各板と羽根車１２の対向する間の寸法Ｓ２，Ｓ３より小さいものとなっている。
【００５０】
このように、管状部１９より上流側である吸込み継手１７に異物防止部２１を設けたことで、ポンプ室１０への異物の浸入を抑制でき、且つ異物の滞積量を容易に確認できると共に、滞積した異物を吸込み口１７ｂ側から容易に清掃除去できる。そして、異物防止部２１の隙間を羽根車１２と各板の対向する夫々の間より小さくしたことで、ポンプ室１０に浸入する異物のサイズを小さく抑えることができる。
【００５１】
そのため、ポンプ室１０への異物の浸入によるポンプ１の不具合の発生を抑制することができると共に、異物の滞積による羽根車１２のポンプ性能の低下を容易に解消でき、ポンプ性能を高く維持し易いものとなっている。ことに、異物防止部２１が幅広部１８に設けたものより上流側に近くなり、より容易に清掃することができる。
【００５２】
なお、異物防止部２１を吸込み継手１７に設けたものであれば、管状部１９と吸込み継手１７の間に幅広部１８が無いものや、吸込み継手１７が流路ケース３に連結可能な流路ケース３と別部材で形成したもの等であってもよい。
【００５３】
また、図５及び図６に示すように、異物防止部２１を導入路４ａの円形部２０及び羽根車１２の軸１１と同心で周面にスリット２４を有する円筒２３とし、円筒２３の一端を流路ケース３の上面３ｂに接続し他端を羽根車入口１３に位置させて設けたものもある。なお、前述の各例と略同様の構成の説明は省略する。
【００５４】
この円筒２３は流路ケース３と一体で成型されており、導入路４ａの下面３ａ側に位置する先端部２３ａが羽根車入口１３に臨むものとなっている。そして、周面には内外を貫通し軸に沿って長いスリット２４が略同じ間隔で複数設けられており、各スリット２４は円筒２３の先端部２３ａから管状部１９の中央と略同じ高さまで切り欠かれたものとなっている。更に、各スリット２４の幅である異物防止部２１の隙間の寸法Ｓ１は羽根車１２と仕切り板７及び分離板６の各対向面の間の寸法Ｓ２，Ｓ３より小さいものである。
【００５５】
つまり、液体はスリット２４を介して円筒２３の内周側の空間に流通し、内周側の空間から羽根車入口１３に流入されると共に、液体に混じった異物が円筒２３（外周面）により流通が遮られて液体から分離されるものとなっている。そして、液体から分離された異物は円筒２３の周面に沿って円筒２３の管状部連通口２０ａから最も離れた位置の円弧の外周に誘導されて、その円弧と円形部２０の間の空間に滞積されるものとなっている。
【００５６】
つまり、円筒２３の外周から内周へ液体が流通する周面のうち、最も流速の速い管状部連通口２０ａ側の円弧に異物が滞積しないものとなっており、異物の付着や滞積等による流速の低下の発生を抑制している。
【００５７】
このように、異物防止部２１は円筒２３の外周全面で異物の分離処理を行えるため、限界処理量が管状部１９に異物防止部２１を設けたものより多くでき、異物の滞積に伴うスリット２４の目詰まりによる流量や流速の低下を軽減できる。
【００５８】
そして、円筒２３の先端が羽根車入口１３に臨むと共に、異物防止部２１の隙間が羽根車１２と各板の間より小さいため、羽根車１２へ浸入する異物のサイズを小さく抑えると共に、異物をポンプ室１０に浸入し難くできる。更に、異物防止部２１の流速の最も速い位置に異物が滞留しないため、スリット２４の目詰まりによる流量や流速の低下を軽減できる。
【００５９】
そのため、ポンプ室１０への異物の浸入による羽根車１２の回転速度の低下や停止等の不具合の発生を抑制することができると共に、ポンプ性能を高く維持し易いものとなっている。そして、円筒２３を流路ケース３の上面３ｂから下面３ａに向けて形成しているため、円筒２３を流路ケース３と一体で容易に成型でき、ポンプ１の生産性及び円筒２３の強度を向上することができる。
【００６０】
なお、異物防止部２１である円筒２３の形状は、先端側程内径や外径が広くなるあるいは狭くなる略円錐形状のものや、スリット２４を円筒２３の先端部２３ａから流路ケース３の上面３ｂまでに亘って形成したもの等であってもよい。
【００６１】
また、図７に示すように、前述で例示したもの等の本発明のポンプを浴槽３０に設けた追焚き装置３１の湯水循環用の駆動源である循環ポンプ３２に用いたものもある。
【００６２】
この追焚き装置３１は浴槽３０から浴水を吸込み、吸込んだ浴水を熱交換器３３で温めた後、再度浴槽３０に戻すことで、浴槽３０の浴水を再加熱（追い焚き）するものである。詳しくは、浴槽３０及び各部を繋ぎ浴水が内部を流通する配管３４と、配管３４内の浴水を外部から供給された熱媒と熱交換して温める熱交換器３３と、浴水を吸込み配管３４内に流動させる循環ポンプ３２と、からなっている。
【００６３】
この循環ポンプ３２は浴槽３０内に溜まった毛髪等の異物ごと浴水を吸込むものであり、循環ポンプ３２は羽根車１２に浴水を導入する導入路４ａの上流側に異物防止部２１を有している。そのため、循環ポンプ３２は浴槽３０から吸込んだ浴水から異物防止部２１で異物を分離した後、羽根車１２に導入するものであり、異物の除去された浴水が熱交換器３３に供給されるものとなっている。
【００６４】
そのため、循環ポンプ３２の異物による羽根車１２の回転不調等の不具合の発生が抑制されると共に、純度の高い浴水を熱交換器３３で熱交換を行えて、浴水の加熱効率（熱交換効率）等の追焚き装置３１の性能をより向上することができる。なお、浴水を加熱する追焚き装置３１の熱源は熱交換器３３に限らず、燃焼式の加熱手段であってもよい。
【００６５】
このように、導入路４ａの上流側に異物防止部２１を有するポンプ１を液体循環装置の循環用の駆動源に用いたことで、異物によるポンプ性能の低下等を抑制できると共に、流動された液体に作用する熱交換器３３等の作用部の作用効率を向上できる。そして、この作用部とは、例えば、異物の有無で熱交換効率の変化する熱交換器３３等の温調手段や、異物で目詰まりを生じて放出量が低下する液体放出用のノズル等がある。
【００６６】
つまり、本発明のポンプを液体循環用の駆動源に有する液体循環装置は、例えば、追焚き装置以外にも、浴槽用の微細気泡発生装置や、池等の濁り防止用の水循環装置や、公園等の噴水装置や散水等の雨水再利用装置等であってもよいものである。もちろん、本発明のポンプは、液体循環装置の駆動源に限らず、井戸等の汲出しポンプや給湯器等の流動ポンプ等であってもよい。
【符号の説明】
【００６７】
１  ポンプ
２  ポンプケース
３  流路ケース
４ａ  導入路
６  分離板
７  仕切り板
１０  ポンプ室
１１  軸
１２  羽根車
１３  羽根車入口
１７  吸込み継手
１８  幅広部
１９  管状部
２０  円形部
２１  異物防止部
２２  リブ
２３  円筒
２４  スリット
Ｒ  流動方向
【図１】
2011220217.tif 000003
【図２】
2011220217.tif 000004
【図３】
2011220217.tif 000005
【図４】
2011220217.tif 000006
【図５】
2011220217.tif 000007
【図６】
2011220217.tif 000008
【図７】
2011220217.tif 000009